(57)【要約】  【課題】  取引明細欄の印刷精度の低下を招来させることなく、通帳内部紙に地紋を印刷することが可能となる通帳内部紙の印刷方法を提供すること。  【解決手段】  印刷機１を用いた通帳内部紙の印刷方法によれば、各印刷ユニットにおいて、通帳内部紙２がインフィード渡し胴３０から圧胴３３へ移送されて、この圧胴３３と転写胴３２との間を通帳内部紙２が通過するときに、転写胴３２のゴムブランケット３２ａから、取引明細欄３の網点画像と地紋４の網点画像とが通帳内部紙２に同時に転写されて、その後、通帳内部紙２は圧胴３３からインターユニット渡し胴３６及びインターステーション渡し胴３７を経て、次段にある印刷ユニットのインフィード渡し胴３０へ移送される。【選択図】        図２
2008044149.tif 000002
【特許請求の範囲】
【請求項１】
細線状の罫線部を有する取引明細欄を通帳内部紙の紙面に印刷する方法であって、
取引明細欄を、原画像からプロセスカラーの色成分に色分解するとともにＦＭスクリーニング処理によって網点画像に変換し、その網点画像が版面に形成される印刷版を介して、通帳内部紙の紙面に取引明細欄をプロセスカラーで印刷するものであることを特徴とする通帳内部紙の印刷方法。
【請求項２】
コンピュータによって、取引明細欄を、原画像データからプロセスカラーの色成分に色分解するとともにＦＭスクリーニング処理によって網点画像データに変換し、その網点画像データに基づき、ＣＴＰシステムによって、取引明細欄の網点画像を印刷版の版面に直接製版するものであることを特徴とする請求項１記載の通帳内部紙の印刷方法。
【請求項３】
取引明細欄と地紋とが組み合わさったものである通帳内部画像を通帳内部紙の紙面に印刷する方法であって、
通帳内部画像を、原画像からプロセスカラーの色成分に色分解するとともにＦＭスクリーニング処理によって網点画像に変換し、その網点画像が版面に形成される印刷版を介して、通帳内部紙の紙面に取引明細欄及び地紋の双方を同時にプロセスカラーで印刷するものであることを特徴とする通帳内部紙の印刷方法。
【請求項４】
コンピュータによって、通帳内部画像を、原画像データからプロセスカラーの色成分に色分解するとともにＦＭスクリーニング処理によって網点画像データに変換し、その網点画像データに基づき、ＣＴＰシステムによって、取引明細欄の網点画像及び地紋の網点画像の双方を印刷版の版面に直接製版するものであることを特徴とする請求項３記載の通帳内部紙の印刷方法。
【請求項５】
通帳内部紙に取引明細欄及び地紋の双方を印刷する方法であって、
取引明細欄の網点画像及び地紋の網点画像の双方が版面に形成される印刷版を介して、通帳内部紙の紙面に取引明細欄及び地紋を同時印刷するものであることを特徴とする請求項５記載の通帳内部紙の印刷方法。
【請求項６】
前記印刷版は、ＣＴＰシステムによって取引明細欄の網点画像及び地紋の網点画像の双方が直接製版されるものであることを特徴とする請求項５記載の通帳内部紙の印刷方法。
【請求項７】
地紋の網点面積率を取引明細欄の網点面積率より小さく調整することによって、その地紋を、取引明細欄と判別可能な色調で、且つ、通帳用記帳システムに装備されるスキャナで読取可能なＰＣＳ値未満の淡色で、通帳内部紙上に印刷するものであることを特徴とする請求項３から６のいずれかに記載の通帳内部紙印刷方法。
【請求項８】
請求項１から７のいずれかに記載の通帳内部紙の印刷方法を備えており、
その通帳内部紙の印刷方法により通帳内部紙の一面側に印刷を施す前段印刷ユニットと、その前段印刷ユニットの下流側に配設されて前記通帳内部紙の印刷方法により通帳内部紙の他面側に印刷を施す後段印刷ユニットとを同一の印刷ライン上に備えている両面印刷機を用いて、
前記前段印刷ユニットによって通帳内部紙の一面側を印刷した直後に連続的に、前記後段印刷ユニットによって通帳内部紙の他面側を印刷するものであることを特徴とする通帳内部紙の印刷方法。
【請求項９】
請求項１から７のいずれかに記載の通帳内部紙の印刷方法を備えており、
その通帳内部紙の印刷方法による印刷が施される通帳内部紙を印刷以前から所定の処理空間内に収容し、その処理空間内に一定期間収容された通帳内部紙に対して前記印刷方法によって前記処理空間内で印刷を施すものであって、
その処理空間の温度および湿度を通帳内部紙の収容中から印刷終了まで一定状態に維持するものであることを特徴とする通帳内部紙の印刷方法。
【請求項１０】
請求項１から９のいずれかに記載の通帳内部紙の印刷方法において、その印刷方法に用いられる印刷方式は、オフセット印刷方式又はグラビア印刷方式であることを特徴とする通帳内部紙の印刷方法。
【発明の詳細な説明】
【技術分野】
【０００１】
本発明は、通帳内部紙に取引明細欄と地紋とを印刷するための印刷方法に関するものである。
【背景技術】
【０００２】
近年、金融機関では、他の金融機関との差別化を図るための種々の工夫が行われており、例えば、金融商品のサービス名として個性的な名称を付けてアピールしたり、或いは、下記特許文献１に記載のように、通帳の表紙に趣向を凝らした各種デザインを印刷したりするなどして、新規顧客の勧誘に活用している。
【特許文献１】特開平１１−７８２９８号公報
【特許文献２】特開平９−２７７７４８号公報
【特許文献３】実用新案登録第３１１０２４９号
【発明の開示】
【発明が解決しようとする課題】
【０００３】
しかしながら、上記特許文献１記載の通帳では、通帳表紙に特徴的な印刷が施されてはいるが、通帳内部紙に関しては顕著な特徴点がない。これに対して、上記特許文献２には、通帳内部紙の取引明細欄外に顧客に対する伝達情報を、文言による地紋によって表示することで、取引明細の視認性を妨げずに記録することが記載されている。また、本願出願人は、上記特許文献３に記載されている、通帳内部紙に複数色の地模様を施した通帳を考案している。
【０００４】
ここで、通帳内部紙に印刷される取引明細欄については、現金自動預払機などの通帳用記帳システムによる記帳内容の自動印字処理に対応すべく、印刷位置の精度や印刷濃度などについて厳格な基準が設定されており、この基準に適合することが求められている。
【０００５】
ところが、一般的に、通帳内部紙に対する取引明細欄及び地紋の印刷はそれぞれ別々の印刷機を用いて行われることが多く、このような別々の印刷工程で複数回に及ぶインク転写が繰り返されると、通帳内部紙のインク膨潤を招き、通帳内部紙の波打ち、シワ又は伸びなどによる印刷精度の低下を招来し易くなってしまう。
【０００６】
例えば、通帳内部紙に対する地紋の印刷後に、その通帳内部紙に取引明細欄を印刷するような場合には、地紋が印刷された通帳内部紙の伸びなどが想定されるため、取引明細欄の印刷前に、取引明細欄の印刷位置を補正するために通帳内部紙の位置調整が必須となって作業が極めて煩雑となるという問題点がある。一方、この作業を怠れば、精密かつ良好な印刷結果を得ることができないという問題点がある。
【０００７】
特に、通帳内部紙の地紋をカラー印刷で行うような場合には、一般に、複数色のインクを各色成分ごとに順番に重ね合わせるため、単一色による地模様印刷に比べてインク膨潤による通帳内部紙の変形が一層招来されやすく、このような通帳内部紙に取引明細欄が印刷されると、取引明細欄の印刷位置のずれが更に顕著となる虞があった。
【０００８】
このため、実際に金融機関で利用されている通帳においては、その通帳内部紙に地紋が印刷される場合は単一色によるものが主流であって、通帳内部紙にカラー印刷による地紋が施されたものはなく、そのため、通帳を開いても何ら面白味のないものであるという問題点があった。
【０００９】
本発明は、上述した問題点を解決するためになされたものであり、取引明細欄の印刷精度の低下を招来させることなく、通帳内部紙に地紋を印刷することが可能となる通帳内部紙の印刷方法を提供することを目的としている。
【課題を解決するための手段】
【００１０】
この目的を達成するために請求項１記載の通帳内部紙の印刷方法は、細線状の罫線部を有する取引明細欄を通帳内部紙の紙面に印刷する方法であって、取引明細欄を、原画像からプロセスカラーの色成分に色分解するとともにＦＭスクリーニング処理によって網点画像に変換し、その網点画像が版面に形成される印刷版を介して、通帳内部紙の紙面に取引明細欄をプロセスカラーで印刷するものである。
【００１１】
この請求項１記載の通帳内部紙の印刷方法によれば、細線状の罫線部を有する取引明細欄の原画像が、ＹＭＣＫの４色から構成されるプロセスカラーの中の１色又は２色以上の色成分に色分解される。プロセスカラーはＹＭＣＫの４色で構成されているため、取引明細欄の原画像が色分解されると、イエロー（Ｙ）、マゼンタ（Ｍ）、シアン（Ｃ）又はブラック（Ｋ）の色成分の中から、少なくともいずれか１色分の（色分解された）画像が得られ、又は、多ければ全４色分の（色分解された）画像が得られる。つまり、取引明細欄の原画像を色分解することで、１色以上４色以下の色成分に色分解された画像が取得される。
【００１２】
ここで、取引明細欄の原画像が２色以上の色成分の画像に色分解されると、その各色成分についての取引明細欄の画像は、ＦＭスクリーニング処理によって網点画像にそれぞれ変換される。例えば、取引明細欄の原画像が３つの色成分の画像に色分解されるときは、各色成分についての画像がそれぞれＦＭスクリーニング処理によって網点画像に変換されて、３つの色成分についての網点画像がそれぞれ生成される。
【００１３】
ＦＭスクリーニング処理は、連続階調をもった原画像を擬似的に階調が再現されたハーフトーン画像（網点画像）へ変換するためのスクリーニング処理（演算処理）の一種であって、特に、微小一定サイズ（例えば２０μｍ程度）の基本ドット（網点）を不規則に配置して、単位面積当たりの基本ドットの密度で濃淡を表現することが可能なものである。
【００１４】
このようにＦＭスクリーニング処理を施すことによって、取引明細欄における細線状の罫線部は、線切れしたり又はジャギーを伴って粗悪となることが防止され、なおかつ、網点画像で印刷されても鮮明かつ綺麗な細線を再現することができるのである。
【００１５】
そして、ＦＭスクリーニング処理の後は、各色成分についての取引明細欄の網点画像が色成分ごとに異なる印刷版の版面に形成されて、各色成分についての印刷版が製版される。それから、各色成分についての印刷版を介して、その印刷版に形成された網点画像が各色成分のインクで通帳内部紙の紙面に順番かつ連続的に転写されると、各色成分による取引明細欄の網点画像が通帳内部紙の紙面上で重畳される。すると、通帳内部紙の紙面には、特色を用いることなくプロセスカラーによって再現された取引明細欄が印刷されるのである。
【００１６】
なお、取引明細欄の原画像がプロセスカラー中の１色のみで構成されている場合は、かかる原画像の色分解をしなくてもよい場合もある。かかる場合は、取引明細欄の原画像をＦＭスクリーニング処理によって網点画像に直接変換する格好となり、その網点画像が印刷版の版面に形成されて印刷版が製版される。そして、この印刷版を介して、インクで通帳内部紙の紙面に転写されることで、その色成分による取引明細欄の網点画像が通帳内部紙の紙面に印刷される。
【００１７】
請求項２記載の通帳内部紙の印刷方法は、請求項１記載の通帳内部紙の印刷方法において、コンピュータによって、取引明細欄を、原画像データからプロセスカラーの色成分に色分解するとともにＦＭスクリーニング処理によって網点画像データに変換し、その網点画像データに基づき、ＣＴＰシステムによって、取引明細欄の網点画像を印刷版の版面に直接製版するものである。
【００１８】
この請求項２記載の通帳内部紙の印刷方法によれば、請求項１記載の通帳内部紙の印刷方法と同様な作用及び効果を奏することに加え、印刷版は、コンピュータにより取引明細欄の原画像データから変換された網点画像データに基づき、ＣＴＰシステムによって直接製版されるので、通常のフィルムを用いるＰＳ版に比べて、印刷版に網点画像の内容を正確かつ高精度に再現することができ、通帳内部紙に印刷される取引明細欄の色調及びＰＣＳ値の微調整を容易に行うことができる。
【００１９】
請求項３記載の通帳内部紙の印刷方法は、取引明細欄と地紋とが組み合わさったものである通帳内部画像を通帳内部紙の紙面に印刷する方法であって、通帳内部画像を、原画像からプロセスカラーの色成分に色分解するとともにＦＭスクリーニング処理によって網点画像に変換し、その網点画像が版面に形成される印刷版を介して、通帳内部紙の紙面に取引明細欄及び地紋の双方を同時にプロセスカラーで印刷するものである。
【００２０】
この請求項３記載の通帳内部紙の印刷方法によれば、取引明細欄と地紋とが組み合わさった通帳内部画像の原画像が、ＹＭＣＫの４色から構成されるプロセスカラーの中の１色又は２色以上の色成分に色分解される。ここで、通帳内部画像の原画像が２色以上の色成分の画像に色分解されると、その色成分についての通帳内部画像の画像は、ＦＭスクリーニング処理によって網点画像にそれぞれ変換される。
【００２１】
このようにＦＭスクリーニング処理を施すことによって、通帳内部画像における取引明細欄及び地紋を網点画像を用いて印刷しても、鮮明かつ綺麗なものに仕上げることができる。そして、ＦＭスクリーニング処理の後は、各色成分についての通帳内部画像の網点画像が色成分ごとに異なる印刷版の版面に形成されて、各色成分についての印刷版が製版される。
【００２２】
それから、各色成分についての印刷版を介して、その印刷版に形成された網点画像が各色成分のインクで通帳内部紙の紙面に順番かつ連続的に転写されると、各色成分による通帳内部画像の網点画像が通帳内部紙の紙面上で重畳される。すると、通帳内部紙の紙面には、特色を用いることなくプロセスカラーによって再現された取引明細欄と地紋とが印刷されるのである。
【００２３】
なお、通帳内部画像の原画像がプロセスカラー中の１色のみで構成されている場合は、かかる原画像の色分解をしなくてもよい場合もある。かかる場合は、通帳内部画像の原画像をＦＭスクリーニング処理によって網点画像に直接変換する格好となり、その網点画像が印刷版の版面に形成されて印刷版が製版される。そして、この印刷版を介して、インクで通帳内部紙の紙面に転写されることで、その色成分による取引明細欄と地紋とが網点画像によって通帳内部紙の紙面に印刷される。
【００２４】
請求項４記載の通帳内部紙の印刷方法は、請求項３記載の通帳内部紙の印刷方法において、コンピュータによって、通帳内部画像を、原画像データからプロセスカラーの色成分に色分解するとともにＦＭスクリーニング処理によって網点画像データに変換し、その網点画像データに基づき、ＣＴＰシステムによって、取引明細欄の網点画像及び地紋の網点画像の双方を印刷版の版面に直接製版するものである。
【００２５】
この請求項４記載の通帳内部紙の印刷方法によれば、請求項３記載の通帳内部紙の印刷方法と同様な作用及び効果を奏することに加え、印刷版は、コンピュータにより通帳内部画像の原画像データから変換された網点画像データに基づき、ＣＴＰシステムによって直接製版されるので、通常のフィルムを用いるＰＳ版に比べて、印刷版に網点画像の内容を正確かつ高精度に再現することができ、通帳内部紙に印刷される取引明細欄及び地紋の色調及びＰＣＳ値の微調整を容易に行うことができる。
【００２６】
請求項５記載の通帳内部紙の印刷方法は、通帳内部紙に取引明細欄及び地紋の双方を印刷する方法であって、取引明細欄の網点画像及び地紋の網点画像の双方が版面に形成される印刷版を介して、通帳内部紙の紙面に取引明細欄及び地紋を同時印刷するものである。
【００２７】
この請求項５記載の通帳内部紙の印刷方法によれば、通帳内部紙の取引明細欄と地紋とが印刷される場合、地紋の網点画像が印刷版を介して通帳内部紙の紙面に印刷されるのと同時進行で、その同じ印刷版を介して、取引明細欄の網点画像が同じ通帳内部紙の紙面に印刷される。このように取引明細欄についても地紋と同じく網点画像とすることで、取引明細欄及び地紋の双方を、同一の印刷版を介して一括かつ同時に通帳内部紙に印刷できるものとなる。このため、取引明細欄の印刷と地紋の印刷とを別々に行うことが不要となって、印刷精度の低下も回避される。
【００２８】
請求項６記載の通帳内部紙の印刷方法は、請求項５記載の通帳内部紙の印刷方法において、前記印刷版は、ＣＴＰシステムによって取引明細欄の網点画像及び地紋の網点画像の双方が直接製版されるものである。
【００２９】
この請求項６記載の通帳内部紙の印刷方法によれば、請求項５記載の通帳内部紙の印刷方法と同様な作用及び効果を奏することに加え、印刷版は、網点画像を直接印刷版へ出力して描画するＣＴＰシステムによって製版されるので、通常のフィルムを用いるＰＳ版に比べて、印刷版に網点画像の内容を正確かつ高精度に再現することができ、通帳内部紙に印刷される取引明細欄及び地紋の色調及びＰＣＳ値の微調整を容易に行うことができる。
【００３０】
請求項７記載の通帳内部紙の印刷方法は、請求項３から６のいずれかに記載の通帳内部紙印刷方法において、地紋の網点面積率を取引明細欄の網点面積率より小さく調整することによって、その地紋を、取引明細欄と判別可能な色調で、且つ、通帳用記帳システムに装備されるスキャナで読取可能なＰＣＳ値未満の淡色で、通帳内部紙上に印刷するものである。
【００３１】
この請求項７記載の通帳内部紙の印刷方法によれば、請求項３から６のいずれかに記載の通帳内部紙印刷方法と同様な作用及び効果を奏することに加え、地紋の色調は、取引明細欄の罫線及び文字と肉眼でも判別可能なものとされるので、取引明細欄の罫線や文字自体が地紋に紛れ込んで肉眼で判別し難くなることが防止される。しかも、地紋は、通帳用記帳システムのスキャナで読取可能なＰＣＳ値未満の淡色で印刷されるので、スキャナが地紋を記帳済みの印字内容と誤読して、通帳用記帳システムが記帳位置を誤判することが防止される。
【００３２】
請求項８記載の通帳内部紙の印刷方法は、請求項１から７のいずれかに記載の通帳内部紙の印刷方法を備えており、その通帳内部紙の印刷方法により通帳内部紙の一面側に印刷を施す前段印刷ユニットと、その前段印刷ユニットの下流側に配設されて前記通帳内部紙の印刷方法により通帳内部紙の他面側に印刷を施す後段印刷ユニットとを同一の印刷ライン上に備えている両面印刷機を用いて、前記前段印刷ユニットによって通帳内部紙の一面側を印刷した直後に連続的に、前記後段印刷ユニットによって通帳内部紙の他面側を印刷するものである。
【００３３】
この請求項８記載の通帳内部紙の印刷方法によれば、両面印刷機を用いて、前段印刷ユニットによって通帳内部紙の一面側に印刷した直後に、その前段印刷ユニットよりも下流側に配設される後段印刷ユニットよって通帳内部紙の他面側に対して連続的に印刷がなされるので、例えば、片面印刷機により通帳内部紙の両面を別々に印刷する必要もなく、片面印刷後にもう片面を印刷する前に、通帳内部紙の表裏で取引明細欄の位置を合致させるための位置調整も不要となり、その分、印刷精度が向上される。
【００３４】
請求項９記載の通帳内部紙の印刷方法は、請求項１から７のいずれかに記載の通帳内部紙の印刷方法を備えており、その通帳内部紙の印刷方法による印刷が施される通帳内部紙を印刷以前から所定の処理空間内に収容し、その処理空間内に一定期間収容された通帳内部紙に対して前記印刷方法によって前記処理空間内で印刷を施すものであって、その処理空間の温度および湿度を通帳内部紙の収容中から印刷終了まで一定状態に維持するものである。
【００３５】
この請求項９記載の通帳内部紙の印刷方法によれば、請求項１から７のいずれかに記載の通帳内部紙の印刷方法を行う場合に、通帳内部紙は、印刷以前から印刷終了まで、温度及び湿度が一定状態に維持されている処理空間の中に存在するので、温度変化や湿度変化に伴う通帳内部紙の波打ち、シワ又は伸びなどを防止でき、印刷精度の低下を回避することができる。
【００３６】
請求項１０記載の通帳内部紙の印刷方法は、請求項１から９のいずれかに記載の通帳内部紙の印刷方法において、その印刷方法に用いられる印刷方式は、オフセット印刷方式又はグラビア印刷方式である。
【００３７】
この請求項１０記載の通帳内部紙の印刷方法によれば、請求項１から９のいずれかに記載の通帳内部紙の印刷方法と同様な作用及び効果を奏することに加え、印刷方式がオフセット印刷方式である場合、印刷版によって転写胴の表面にインクによる網点画像が形成され、その転写胴の表面が通帳内部紙の紙面に押圧されると、インクが通帳内部紙の紙面に転写されて、網点画像が通帳内部紙に印刷される。
【００３８】
一方、印刷方式がグラビア印刷方式である場合、印刷版（版胴）の表面にインクによる網点画像が形成され、その印刷版の表面を通帳内部紙の紙面に押圧すると、インクが通帳内部紙の紙面に転写されて、網点画像が通帳内部紙に印刷される。このように印刷方式としてオフセット印刷方式又はグラビア印刷方式を採用することで、通帳用記帳システムのスキャナによる誤読を防止するために淡色とならざるを得ない、通帳内部紙上の地紋をできる限りより鮮明な状態で印刷することができる。
【発明の効果】
【００３９】
本発明の通帳内部紙の印刷方法によれば、取引明細欄が網点画像によって通帳内部紙の紙面に印刷されるので、この取引明細欄の網点画像と一緒に地紋を網点画像を印刷版の版面に形成しさえすれば、その印刷版を介して通帳内部紙の紙面に取引明細欄と地紋とを同時印刷することができる。さすれば、取引明細欄の印刷工程と地紋の印刷工程とを別々の工程に分離して行う必要がなく、結果、印刷精度、印刷品質、及び、印刷効率の向上が図られるという効果がある。
【００４０】
また、同一の印刷版を介して通帳内部紙の紙面に取引明細欄と地紋とを同時印刷することができれば、地紋を先に印刷することでインク膨潤して寸法精度が低下した通帳内部紙に取引明細欄を印刷する必要もない。このため、地紋と取引明細欄とを別工程により印刷する場合のような印刷位置の補正も不要となり、なおかつ、精密で良好な印刷精度を得ることができ、印刷品質を向上できるという効果がある。また、地紋と取引明細欄とを別々に通帳内部紙に転写する必要がないので、印刷工程数を低減できて、その分、印刷コストを低減できるという効果がある。
【００４１】
しかも、一般的に無味簡素な罫線部と文字部とからなる取引明細欄が印刷されている通帳内部紙に、複数色のインクで地紋をカラー印刷することで、通帳内部紙を装飾性の高いカラフルなものへと変貌させることができるという効果がある。
【発明を実施するための最良の形態】
【００４２】
以下、本発明の好ましい実施例について、添付図面を参照して説明する。図１は、本発明の一実施例である通帳内部紙印刷方法を用いて通帳内部紙２に印刷が施された通帳１の展開平面図である。この通帳１は、郵便貯金用のもの、或いは、銀行や信用金庫などの各種金融機関における預金用のものであって、従来のものと同様に、表紙（図示せず）と複数枚の通帳内部紙２（以下単に「内部紙」ともいう。）とを備えている。
【００４３】
図１に示すように、通帳内部紙２の紙面には、普通預金用の取引明細欄３がプロセスカラーを用いた網点画像で印刷表示されており、このような取引明細欄３が印刷された通帳内部紙２が複数頁にわたって設けられている。取引明細欄３は、「年月日」、「摘要」、「お支払金額」、「お預り金額」、「差引残高」などの記帳事項が、現金自動預払機などの通帳用記帳システムによって印刷されるものであり、上記した各記帳事項を区画するための細線状の罫線３ａと、その記帳事項の項目名などの文字３ｂとから構成されている。
【００４４】
なお、本実施例では、罫線３ａの最も細い部分の幅が略０．１ｍｍ程度とされている。
【００４５】
また、この取引明細欄３は、その欄外の上辺部及び下辺部に、頁見出し名として「普通預金（兼お借入明細）」の文字３ｂ、及び、付記的記事として「ご説明」などの文字３ｂが併せて印刷されている。なお、これらの頁見出し名及び付記的記事は、後述する通帳内部紙印刷方法においては、取引明細欄３の文字３ｂ一部として取引明細欄３と同色で通帳内部紙２上に同時印刷されるものである。
【００４６】
地紋４は、通帳内部紙２上の取引明細欄３内にプロセスカラーを用いた網点画像でカラー印刷されたものである。この地紋４は、取引明細欄３の罫線３ａ及び文字３ｂと判別可能な色調で、且つ、通帳用記帳システムに装備されるスキャナで読取可能なＰＣＳ値未満の淡色で通帳内部紙２上に印刷されている。なお、図中では、カラー印刷される風景写真の地紋４を便宜上モノクロ写真風に表示している。
【００４７】
また、地紋４は、取引明細欄３内に印刷されるため、その上に記帳事項が印字されて、この記帳事項の印字と重なり合ってしまう。このため、かかる記帳事項の印字の判読を阻害せぬように、地紋４の色調は、記帳事項の印字色と判別可能な淡色の色調に調整されている。この結果、取引明細欄３に記帳事項が印字されても、その印字内容が見えにくくなることが防止される。なお、図中では、取引明細欄３外に地紋４は印刷されていないが、この取引明細欄３外に地紋４を印刷するようにしても良い。
【００４８】
なお、本実施例では、取引明細欄３及び地紋４を、ＹＭＣＫ（イエロー（Ｙ）、マゼンタ（Ｍ）、シアン（Ｃ）及び、ブラック（Ｋ））からなる４色のプロセスカラーで印刷することを前提に説明しているが、取引明細欄３及び地紋４の印刷は必ずしも４色のプロセスカラーのみを使用するものに限定されるものではなく、この４色のプロセスカラーに加えて、これらとは異なる特色を１色以上使用したものであっても良い。
【００４９】
図２は、本発明の一実施例である通帳内部紙印刷方法において使用される両面４色刷り枚葉紙オフセット輪転印刷機（以下、単に「印刷機」という。）１０の内部構成を示す概略図である。また、図３は、図２の部分的拡大図であって、４基ある表印刷ユニット１３〜１６を拡大視したものであり、図４は、図２の部分的拡大図であって、４基ある裏印刷ユニット１７〜２０を拡大視したものである。
【００５０】
なお、以下に説明する通帳内部紙印刷方法において、通帳内部紙２に印刷される頁見出名及び付記的記事の文字３ｂは、特に言及する場合を除いて取引明細欄３の文字３ｂの一部とみなして説明する。
【００５１】
図２に示すように、印刷機１０は、主として、枚葉紙フィーダ１１と、枚葉紙デリバリスタッカ１２と、合計８基の印刷ユニット１３〜２０と、枚葉紙の印刷面を表裏反転するための反転胴２１とを備えており、枚葉紙である通帳内部紙２の表裏両面に取引明細欄３及び地紋４を印刷するものである。例えば、本実施例における印刷機１０としては、ドイツ連邦共和国のハイデルベルグ社（Heidelberger Druckmaschinen AG）製のスピードマスター（Speedmaster）ＳＭ１０２（７０×１００サイズ用）を使用することができる。
【００５２】
ここで、本実施例の印刷機１０は、第１及び第５段目の印刷ユニット１３，１７がブラック成分のインクによって、第２及び第６段目の印刷ユニット１４，１８がシアン成分のインクによって、第３及び第７段目の印刷ユニット１５，１９がマゼンタ成分のインクによって、第４及び第８段目の印刷ユニット１６，２０がイエロー成分のインクによって、通帳内部紙２に画像を転写するものである。
【００５３】
つまり、印刷ユニット１３〜２０は、合計４色ある色成分ごとにそれぞれ２基ずつが設けられており、通帳内部紙２の表面側を印刷するために用いられる４基の印刷ユニット（以下「表印刷ユニット」ともいう。）１３〜１６と、通帳内部紙２の裏面側を印刷するために用いられる４基の印刷ユニット（以下「裏印刷ユニット」ともいう。）１７〜２０とを備えている。
【００５４】
なお、以下の説明においては、第１段目から第４段目の印刷ユニット１３〜１６のことを第１段目から第４段目の表印刷ユニット１３〜１６とも称し、第５段目から第８段目の印刷ユニット１７〜２０のことを第１段目から第４段目の裏印刷ユニット１７〜２０とも称する。
【００５５】
印刷機１０は、上記した枚葉紙フィーダ１１、４基の表印刷ユニット１３〜１６、反転胴２１、４基の裏印刷ユニット１７〜２０、及び、枚葉紙デリバリスタッカ１２が、同一の印刷ライン上に順番に直列状に並んだ構造で構成されている。枚葉紙フィーダ１１は、積層載置された複数枚の通帳内部紙２を順番に１枚ずつ、第１段目の表印刷ユニット１３へ向けて搬送供給する給紙装置である。また、枚葉紙デリバリスタッカ１２は、最終段の裏印刷ユニット２０から排出された通帳内部紙２を積層状態で載置回収する装置である。
【００５６】
合計８基の印刷ユニット１３〜２０は、枚葉紙フィーダ１１と枚葉紙デリバリスタッカ１２との間に配設されており、枚葉紙フィーダ１１及び枚葉紙デリバリスタッカ１２と共に図示しない伝達機構を介して駆動モータ（図示せず）によって駆動される。
【００５７】
図３及び図４に示すように、各印刷ユニット１３〜２０は、インフィード渡し胴３０と、版胴３１と、転写胴３２と、圧胴３３とを備えたオフセット方式による印刷機構である。インフィード渡し胴３０は、それの下流側にある圧胴３３へ通帳内部紙２を移送するものであり、この圧胴３３に移送された通帳内部紙２は、その圧胴３３と転写胴３２との間を通過することによって転写胴３２から画像が転写される。
【００５８】
版胴３１は、その表面にオフセット印刷用のプレート状の印刷版（版板）３１ａが被着されており、転写胴３２は、その表面にゴムブランケット３２ａが被着されている。版胴３１の印刷版３１ａは、その版面にインクが付着可能な画線部とインクが付着不能な非画線部とを有しており、その画線部が微小ドットである網点からなる網点画像で形成されている。
【００５９】
各印刷ユニット１３〜２０における各版胴３１の印刷版３１ａに形成される網点画像は、通帳内部紙２に印刷されるべき取引明細欄３及び地紋４の原画像を、プロセスカラー（ＹＭＣＫ）の色成分であるブラック（Ｋ）成分、シアン（Ｃ）成分、マゼンタ（Ｍ）成分、及び、イエロー成分（Ｙ）のうちの１又は２以上の色成分に色分解し、その色分解された各色成分の画像を更にスクリーニング処理して得られるものである。
【００６０】
具体的には、取引明細欄３及び地紋４の画像が含まれる原画像データがレイアウト処理装置によって作成され、その原画像データが、ラスターイメージプロセッサ（Raster-Image-Processor）へ出力される。ラスターイメージプロセッサでは、取引明細欄３及び地紋４の画像が含まれる原画像データがプロセスカラーの各色成分に色分解されることで、各色成分についてのラスターデータ（色分解データ）が生成されて、その各色成分についてのラスターデータがＦＭスクリーニング処理によって変換されることで、各色成分についての取引明細欄３及び地紋４の網点画像データが生成される。そして、各色成分についての網点画像データがＣＴＰ（Computer-to-Plate）システムへ出力されると、そのＣＴＰシステムによって、各色成分についての網点画像が版面に直接形成されて、その結果、印刷版３１ａが製版される。
【００６１】
なお、レイアウト処理装置やラスタイメージプロセッサは図示していないが、これらはコンピュータ上でアプリケーションプログラムが実行されることで構成される演算処理装置の一種である。
【００６２】
この結果、合計８つの印刷版３１ａは、ブラック成分の網点画像が形成されるものが２つと、シアン成分の網点画像が形成されるものが２つと、マゼンタ成分の網点画像が形成されるものが２つと、イエロー成分の網点画像が形成されるものが２つとから構成されている。なお、各色成分用の印刷版３１ａが２つずつあるのは、その一方が表印刷ユニット１３〜１６用のものであって、他方が裏印刷ユニット１７〜２０用のものだからである。
【００６３】
また、各印刷版３１ａについて形成される網点画像は、通帳内部紙２に印刷される取引明細欄３及び地紋４のそれぞれに用いる色成分によって異なってくる。例えば、取引明細欄３及び地紋４の双方を４色の色成分全てを用いて印刷する場合は全ての色成分用の印刷版３１ａに、取引明細欄３の網点画像及び地紋４の網点画像の双方が形成される。
【００６４】
更に、取引明細欄３及び地紋４に３色の色成分が共通して用いられる場合は当該３色の色成分用の印刷版３１ａに、取引明細欄３及び地紋４に２色の色成分が共通して用いられる場合は当該２色の色成分用の印刷版３１ａに、取引明細欄３及び地紋４に１色の色成分が共通して用いられる場合は当該１色の色成分用の印刷版３１ａに、取引明細欄３の網点画像及び地紋４の網点画像の双方が形成されるのである。
【００６５】
仮に具体例を一つ挙げるとすれば、上記印刷機１０によって通帳内部紙２の表裏面に、マゼンタ及びイエローの２色刷りにより取引明細欄３を印刷し、かつ、４色刷りにより地紋４を印刷する場合は、取引明細欄３と地紋４とに共通する色成分がマゼンタ及びイエローなので、第３段目の表印刷ユニット１５及び裏印刷ユニット１９の各印刷版３１ａにマゼンタ成分による取引明細欄３の網点画像及び地紋４の網点画像の双方が形成され、第４段目の表印刷ユニット１６及び裏印刷ユニット２０の各印刷版３１ａにイエロー成分による取引明細欄３の網点画像及び地紋４の網点画像の双方が形成されることとなる。
【００６６】
このように、取引明細欄３及び地紋４の原画像に共通の色成分が用いられている場合、かかる色成分用の印刷版３１ａには、取引明細欄３の網点画像と地紋４の網点画像との双方が形成されるのである。また、当然のことながら、取引明細欄３の印刷に用いられる色成分の中で地紋４の印刷に不要な色成分については、その色成分用の印刷版３１ａには取引明細欄３の網点画像のみが形成され、逆に、地紋４の印刷に用いられる色成分の中で取引明細欄３の印刷に不要な色成分については、その色成分用の印刷版３１ａには地紋４の網点画像のみが形成されることとなる。
【００６７】
ところで、これらの印刷版３１ａを製版する場合において、地紋４の網点面積率は、取引明細欄３に関する罫線３ａ及び文字３ｂの網点面積率より小さく調整される。この調整よって、各印刷ユニット１３〜２０による通帳内部紙２に対する地紋４の印刷（転写）は、取引明細欄３の罫線３ａ及び文字３ｂと判別可能であって記帳事項の印字色とも判別可能な色調で、且つ、通帳用記帳システムに装備されるスキャナで読取可能なＰＣＳ値未満の淡色で、なされる。
【００６８】
インク装置３４は、版胴３１の上方に配設される複数のインクローラ３４ａを備えており、これらの各インクローラ３４ａによってインクトレイ３４ｂに蓄積されているインクを版胴３１の印刷版３１ａの版面に転写して、版胴３１の印刷版３１ａの版面にインクによる網点画像（画線部）を形成するように構成されている。
【００６９】
湿し装置３５は、版胴３１の図中右方に配設される複数の湿しローラ３５ａを備えており、これらの各湿しローラ３５ａによって湿し剤トレイ３５ｂに蓄積されている湿し剤を版胴３１の印刷版３１ａの版面に転写して、印刷版３１ａの非画線部を形成するように構成されている。
【００７０】
このように版胴３１の周囲にインク装置３４と湿し装置３５とが配設されることによって版胴３１の印刷版３１ａには湿し剤及びインクが施され、このインク及び湿し剤によって印刷版３１ａの版面には網点画像が生成される。そして、この版胴３１の印刷版３１ａに生成された網点画像は、転写胴３２のゴムブランケット３２ａの表面に転写されて、この転写胴３２から通帳内部紙２の紙面に転写されるのである。
【００７１】
ところで、図２に示すように、上記のように構成された印刷ユニット１３〜２０の隣り合うもの同士の間には、上流に位置するものから下流に位置するものへ通帳内部紙２を移送するための移送機構である、インターユニット渡し胴３６、及び、インターステーション渡し胴３７又は反転胴２１が配設されている。
【００７２】
インターユニット渡し胴３６は、第８段目の印刷ユニット２０を除いた残りの印刷ユニット１３〜１９の各圧胴３３の下流側に隣接して配設されており、各圧胴３３から移送されてくる通帳内部紙２を、このインターユニット渡し胴３６の下流側に隣接するインターステーション渡し胴３７又は反転胴２１へ移送するものである。
【００７３】
インターステーション渡し胴３７は、第１段目及び第５段目の印刷ユニット１３，１７を除いた残りの印刷ユニット１４，１５，１６，１８，１９，２０の各インフィード渡し胴３０の上流側に隣接して配設されており、インターユニット渡し胴３６から移送されてくる通帳内部紙２を、このインターステーション渡し胴３７の下流側に隣接するインフィード渡し胴３０へ移送するものである。
【００７４】
また、インフィード渡し胴３０、圧胴３３、インターユニット渡し胴３６、及び、インターステーション渡し胴３７は、いずれも咥え爪列（図示せず）が外周面上に配設されており、この咥え爪列によって通帳内部紙２を保持して下流側へ移送するように構成されている。
【００７５】
反転胴２１は、第４段目の印刷ユニット１６の下流側に隣接するインターユニット渡し胴３６と第５段目の印刷ユニット１７のインフィード渡し胴３０との間に配設されている。この反転胴２１は、第４段目の印刷ユニット１６から第５段目の印刷ユニット１７へ、即ち、第４段目の表印刷ユニット１６から第１段目の裏印刷ユニット１７へ通帳内部紙２を移送するときに、通帳内部紙２の印刷面を表裏反転するものであり、通帳内部紙２を反転させるために、その外周面上に咥え爪列が配設されている。
【００７６】
この反転胴２１によれば、その咥え爪列によって第４段目のインターユニット渡し胴３６から排出される通帳内部紙２の搬送方向前端部を保持し、この状態で回転されると、この通帳内部紙２の搬送方向後端部が第５段目のインフィード渡し胴３０との隣接箇所に到達し、そのとき、その通帳内部紙２の搬送方向後端部が第５段目のインフィード渡し胴３０における咥え爪列によって保持され、反転胴２１の咥え爪列による通帳内部紙２の保持が解除される。
【００７７】
すると、第５段目のインフィード渡し胴３０から第５段目の圧胴３３へ通帳内部紙２が移送されるときに、通帳内部紙２の印刷面の表裏反転されるので、以降の第１段目から第４段目の裏印刷ユニット１７〜２０によって通帳内部紙２の裏面側の印刷を行えるようになるのである。
【００７８】
また、最終段（第８段目）の印刷ユニット２０、即ち、第４段目の裏印刷ユニット２０は、通帳内部紙２を最終段の圧胴３３からデリバリコンベアシステム３９に移送する際に各通帳内部紙２を枚葉紙デリバリスタッカ１２へ向けて案内移動するデリバリ紙取り胴３８を備えている。
【００７９】
次に、上記した印刷機１０を用いて通帳内部紙２に取引明細欄３及び地紋４をカラー印刷する印刷方法について説明する。まず、本実施例による印刷方法において、その印刷が施される通帳内部紙は、その印刷以前から印刷終了までの間、空調設備によって室内温度および室内湿度が常時一定に維持されている処理空間内で取り扱われる。
【００８０】
ここで、処理空間は、未印刷の通帳内部紙を印刷前に収容しておく保管倉庫と、その保管倉庫に通じるとともに印刷機１０が設置される印刷処理場とを備えており、保管倉庫に収容されている通帳内部紙を、その保管倉庫から直接に印刷処理場へ搬送することができるように一続きの空間とされている。
【００８１】
このように保管倉庫内に通帳内部紙を一定期間収容してから、室内温度及び室内湿度が同じ印刷処理場で印刷機１０によって印刷処理を施すことで、通帳内部紙の温度及び湿度変化に伴う伸縮を防止して、より高い印刷精度を確保することができるのである。
【００８２】
また、本実施例による印刷方法では、所望の取引明細欄３及び地紋４の原画像がラスターイメージプロセッサによりＦＭスクリーニング処理されて網点画像データが生成されて、この網点画像データがＣＴＰシステムによって各印刷ユニット１３〜２０の各版胴３１における各色成分の印刷版３１ａの版面に形成されて、各印刷版３１ａが製版される。
【００８３】
ここで、以下の本実施例の説明において、取引明細欄３及び地紋４の双方はいずれもＹＭＣＫのプロセスカラーにおける４つの色成分全てを用いて印刷するものであることを前提に説明する。
【００８４】
すると、製版された各印刷版３１ａの内訳は、ブラック成分による取引明細欄３及び地紋４の網点画像が形成される印刷版３１ａと、シアン成分による取引明細欄３及び地紋４の網点画像が形成される印刷版３１ａと、マゼンタ成分による取引明細欄３及び地紋４の網点画像が形成される印刷版３１ａと、イエロー成分による取引明細欄３及び地紋４の網点画像が形成される印刷版３１ａとが、それぞれ２枚ずつとなる。ここで、各色成分についての４枚の印刷版３１ａは表印刷ユニット１３〜２０用であり、残る各色成分についての４枚の印刷版３１ａは裏印刷ユニット１３〜２０用である。
【００８５】
そして、これらの各印刷版３１ａが対応する各印刷ユニット１３〜２０の版胴３１に被着された後、印刷機１０が稼働されると、インク装置３４及び湿し装置３５によって、各版胴３１に印刷版３１ａに各色成分のインクが転写付着されて取引明細欄３の網点画像と地紋４の網点画像との合成画像が形成されて、この合成画像が各版胴３１に接触する各転写胴３２のゴムブランケット３２ａ表面に転写される。一方、通帳内部紙２は、枚葉紙フィーダ１１によって１枚ずつ第１段目の表印刷ユニット１３のインフィード渡し胴３０へ移送される。
【００８６】
第１段目の表印刷ユニット１３では、通帳内部紙２がインフィード渡し胴３０から圧胴３３へ移送されて、この圧胴３３と転写胴３２との間を通帳内部紙２が通過するときに、ブラックインクによりブラック成分の網点画像が転写胴３２のゴムブランケット３２ａから通帳内部紙２の表面側に転写されることで、ブラック成分による取引明細欄３の網点画像と、同じくブラック成分による地紋４の網点画像とが通帳内部紙２に同時に転写されて、その後、通帳内部紙２は圧胴３３からインターユニット渡し胴３６及びインターステーション渡し胴３７を経て、第２段目の表印刷ユニット１４のインフィード渡し胴３０へ移送される。
【００８７】
第２段目の表印刷ユニット１４では、第１段目の表印刷ユニット１３の場合と同様に、通帳内部紙２がインフィード渡し胴３０を経て圧胴３３と転写胴３２との間を通過するときに、シアンインクによりシアン成分の網点画像が転写胴３２のゴムブランケット３２ａから通帳内部紙２の表面側に転写されることで、シアン成分による取引明細欄３の網点画像と、同じくシアン成分による地紋４の網点画像とが通帳内部紙２に同時に転写されて、その後、通帳内部紙２は圧胴３３からインターユニット渡し胴３６及びインターステーション渡し胴３７を経て、第３段目の表印刷ユニット１５のインフィード渡し胴３０へ移送される。
【００８８】
そして、第３段目の表印刷ユニット１５でも、通帳内部紙２がインフィード渡し胴３０、圧胴３３及び転写胴３２間、インターユニット渡し胴３６、並びに、インターステーション渡し胴３７の順に通過して第４段目の表印刷ユニット１６のインフィード渡し胴３０へ移送される過程において、マゼンタインクによりマゼンタ成分の網点画像が転写胴３２のゴムブランケット３２ａから通帳内部紙２の表面側に転写されて、マゼンタ成分による取引明細欄３の網点画像と、同じくマゼンタ成分による地紋４の網点画像とが通帳内部紙２に同時に転写される。
【００８９】
また、第４段目の表印刷ユニット１６に移送された通帳内部紙２については、インフィード渡し胴３０、圧胴３３及び転写胴３２間、並びに、インターユニット渡し胴３６の順に通過して反転胴２１へ移送される過程において、イエローインクによりイエロー成分の網点画像が転写胴３２のゴムブランケット３２ａから通帳内部紙２の表面側に転写されて、イエロー成分による取引明細欄３の網点画像と、同じくイエロー成分による地紋４の網点画像とが通帳内部紙２に同時に転写される。
【００９０】
以上のようにして、通帳内部紙２を搬送方向上流側（図１右側）から下流側（図１左側）へ搬送移動して、第１段目の表印刷ユニット１３から第４段目の表印刷ユニット１６まで順番にかつ連続的に通過させることによって、その通帳内部紙２の表面側にはブラック、シアン、マゼンタ及びイエローの色成分が１色ずつ順番に転写されて、合計４色の色成分が重畳されて構成される取引明細欄３及び地紋４のカラー画像が形成される。
【００９１】
そして、第４段目の表印刷ユニット１６を通過した通帳内部紙２を、反転胴２１によって表裏反転した後、上記した第１段目から第４段目までの表印刷ユニット１３〜１６の場合と同様に、第１段目の裏印刷ユニット１７から第４段目の裏印刷ユニット２０まで順番にかつ連続的に通過させれば、通帳内部紙２の裏面側にも、ブラック、シアン、マゼンタ及びイエローの色成分が１色ずつ順番に転写され、合計４色の色成分が重畳されて構成される取引明細欄３及び地紋４のカラー画像が形成される。
【００９２】
なお、第４段目の裏印刷ユニット１７〜２０における転写胴３２及び圧胴３３間を通過して全ての印刷が終了した通帳内部紙２は、その最終段の圧胴３３からデリバリ紙取り胴３８を経てデリバリコンベアシステム３９へと移送され、このデリバリコンベアシステム３９によって枚葉紙デリバリスタッカ１２へ向けて案内移動され、枚葉紙デリバリスタッカ１２に積層回収される。
【００９３】
次に、上記実施例の変形例について説明する。なお、以下の説明においては、通帳１や印刷機１０に関連する符号として第１実施例と同一の符号を用いると共に、第１実施例と異なる部分について説明する。
【００９４】
第２実施例の通帳内部紙印刷方法は、上記した第１実施例の通帳内部紙印刷方法に対して、４基ある表印刷ユニット１３〜１６のうち、少なくとも１つを通帳内部紙２に対して地紋４の網点画像と取引明細欄３の網点画像とを同時に転写するものに、残るものを通帳内部紙２に対して地紋４の網点画像を転写するものに、それぞれ置換したものである。つまり、第２実施例の通帳内部紙印刷方法は、地紋４を４色刷りのカラー画像で印刷し、取引明細欄３を３色以下の色成分で印刷する場合における印刷方法に関するものである。
【００９５】
例えば、４色刷りによる地紋４とブラック成分の単色刷りによる取引明細欄３とを印刷する場合は、第１段目の表印刷ユニット１３の印刷版３１ａにブラック成分による地紋４の網点画像及び取引明細欄３の網点画像が形成され、この表印刷ユニット１３によって通帳内部紙２に対してブラック成分による取引明細欄３及び地紋４の網点画像が同時転写される一方、残る第２段目から第４段目の表印刷ユニット１４〜１６の印刷版３１ａにシアン成分、マゼンタ成分又はイエロー成分の地紋４の網点画像がそれぞれ形成され、これらの各表印刷ユニット１４〜１６によって通帳内部紙２に対してシアン、マゼンタ及びイエローの色成分による地紋４の網点画像が順番に転写されるのである。
【００９６】
なお、地紋４が４色刷りでなされ、取引明細欄３に用いる色成分をシアン、マゼンタ又はイエローのいずれかの色成分に変更する場合には、これら３色の色成分に対応する第２段目、第３段目又は第４段目の表印刷ユニット１４〜１６のみが、地紋４の網点画像及び取引明細欄３の網点画像の双方を通帳内部紙２に同時転写するものとなる。また、取引明細欄３を２色又は３色の色成分で表す場合は、表印刷ユニット１３〜２０のうち、その２色又は３色の色成分の転写に使用されるものだけが、地紋４の網点画像及び取引明細欄３の網点画像の双方を通帳内部紙２に同時転写するものとなる。
【００９７】
第３実施例の通帳内部紙印刷方法は、上記した第１実施例の通帳内部紙印刷方法に対して、４基ある表印刷ユニット１３〜１６のうち、少なくとも１つを通帳内部紙２に対して取引明細欄３の網点画像を転写するものに、残るものを通帳内部紙２に対して地紋４の網点画像を転写するものに、それぞれ置換したものである。つまり、第３実施例の通帳内部紙印刷方法は、取引明細欄３と地紋４とをそれぞれ異なる色成分を用いて連続印刷する印刷方法に関するものである。
【００９８】
例えば、ブラック成分の単色刷りによる取引明細欄３とブラック成分を除く３色を用いた多色刷りによる地紋４とを印刷する場合は、第１段目の表印刷ユニット１３の印刷版３１ａにブラック成分による取引明細欄３の網点画像が形成され、この表印刷ユニット１３によって通帳内部紙２に対してブラック成分による取引明細欄３が転写される一方、残る第２段目から第４段目の表印刷ユニット１４〜１６の印刷版３１ａにシアン成分、マゼンタ成分又はイエロー成分の地紋４の網点画像がそれぞれ形成され、これらの各表印刷ユニット１４〜１６によって通帳内部紙２に対してシアン、マゼンタ及びイエローの色成分による地紋４の網点画像が順番に転写されるのである。
【００９９】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１００】
例えば、本実施例によって印刷される地紋４は必ずしも４色刷りによるものに限定されるものではなく、取引明細欄３および記帳事項と判別可能であれば、１色刷り、２色刷り、又は、３色刷りであっても良い。また、地紋４の種類は、必ずしも風景写真に限定されるものではなく、その他にも、文字、図形、各種模様、絵柄、各種写真、イラスト画などであっても良く、また、地紋４として、通帳内部紙２の各頁に一連の絵物語を印刷するようにしても良い。
【０１０１】
また、地紋４として印刷される画像に、各種の宣伝広告、例えば、金融機関自体の商品又はサービスなどに関するもの、地域の名所、名物、風景など観光やレジャースポットなどに関するものを用いることで、金融機関自体の営業戦略の一手段としたり、地域貢献の一手段としても活用することができる。
【０１０２】
また、本実施例では、印刷機１０の具体例としてオフセット輪転印刷機を用いて説明したが、印刷機の機種は必ずしもこれに限定されるものではなく、この他にもグラビア輪転印刷機などを使用しても良い。
【図面の簡単な説明】
【０１０３】
【図１】本発明の一実施例である通帳内部紙印刷方法を用いて通帳内部紙に印刷が施された通帳の展開平面図である。
【図２】本発明の一実施例である通帳内部紙印刷方法において使用される両面４色刷り枚葉紙オフセット輪転印刷機の内部構成を示す概略図である。
【図３】図２の部分的拡大図であって、４基ある表印刷ユニットを拡大視したものである。
【図４】図２の部分的拡大図であって、４基ある裏印刷ユニットを拡大視したものである。
【符号の説明】
【０１０４】
１                    通帳
２                    通帳内部紙
３                    取引明細欄（取引明細欄、通帳内部画像の一部）
３ａ                  罫線（罫線部）
３ｂ                  文字（文字部）
４                    地紋（地紋、通帳内部画像の一部）
１０                  印刷機（両面印刷機）
１３〜１６            印刷ユニット（前段印刷ユニット）
１７〜２０            印刷ユニット（後段印刷ユニット）
３１ａ                印刷版
【図２】
2008044149.tif 000003
【図３】
2008044149.tif 000004
【図４】
2008044149.tif 000005
【図１】
2008044149.tif 000006